(57)【要約】      （修正有）【課題】比較的短期間で、衣装のポイントを説明でき婚礼衣裳の和装の接客技術が向上すると共に、和装婚礼衣装に関する知識を着用者に周知し、もって和服に対する興味を喚起可能な和装婚礼衣装セットを提供する。【解決手段】包装用容器３０内に説明書２０及び和装婚礼衣装１０を収納して構成する。説明書２０は、和装婚礼衣装１０の柄の解説あるいは文様の解説の一方又は双方を記載する。また、説明書２０は、和装婚礼衣装１０の素材の解説を記載する。更に、説明書２０は、和装婚礼衣装１０の加工法の解説を記載する。更にまた、説明書２０には、ｗｅｂアドレスがエンコードされた二次元コードを備える。【選択図】図１
0003214633.tif 000002
【実用新案登録請求の範囲】
【請求項１】
説明書を添付したことを特徴とする和装婚礼衣装。
【請求項２】
説明書に、和装婚礼衣装の柄の解説あるいは文様の解説の一方又は双方を記載した請求項１に記載の和装婚礼衣装。
【請求項３】
説明書に、和装婚礼衣装の素材の解説を記載した請求項１に記載の和装婚礼衣装。
【請求項４】
説明書に、和装婚礼衣装の加工法の解説を記載した請求項１に記載の和装婚礼衣装。
【請求項５】
説明書が、ｗｅｂアドレスがエンコードされた二次元コードを備えた請求項１乃至請求項４いずれかに記載の和装婚礼衣装。
【考案の詳細な説明】
【技術分野】
【０００１】
本考案は和装婚礼衣装に関し、より詳しくは説明書を備えた和装婚礼衣装に関する。
【背景技術】
【０００２】
和装婚礼衣装には、その柄や文様に独特な意味や歴史的背景がある。例えば、吉祥文様は縁起が良く、不老長寿を願う柄付けであり、有職文様は平安時代以来、公家の装束・調度などに用いられ、中国唐朝の文様を日本化した格調ある伝統的な文様である。
【０００３】
また、素材にも特殊性があり、縮緬は独特なシボのある絹織物であり、綸子は地紋織物の一種で、地組織は繻子織、模様は裏繻子といった特殊性がある。
【０００４】
更には、加工法にも特殊性があり、型染めは文様を染める際に型紙などを用いる染色法であり、友禅染めは糊置防染法による文様染めで、石川県金沢市で産する加賀友禅と、京都で産する京友禅がある。
【０００５】
特許文献１には、生地内面に解説等をプリントした服が開示されている。
【先行技術文献】
【特許文献】
【０００６】
【特許文献１】特開2005-42291号公報
【考案の開示】
【考案が解決しようとする課題】
【０００７】
（ａ）和装婚礼衣裳が有する上記のような特徴は、レンタル業での経験の浅い接客要員にとって、商品の知識習得とそれを接客技術に生かせるまでに時間を有している。比較的短期間で、衣装のポイントを説明でき婚礼衣裳の和装の接客技術が向上する。
【０００８】
（b）また、結婚式で和装を着用するものがかかる事柄を知れば、それまで和装に関心が小さかった者にも興味を喚起でき、使用者に特別な日に着用する衣裳の重みを実感させることができ、和装離れを抑制することが可能となる。同時に文様に関する日本の文化を後世に継承していく手段となる。
【０００９】
本考案は和装婚礼衣装に関する知識を着用者に周知し、もって和服に対する興味を喚起可能な和装婚礼衣装を提供することを目的とする。
【課題を解決するための手段】
【００１０】
上記課題を解決する本考案の構成は、以下のとおりである。
【００１１】
（１）  請求項１記載の考案は、和装婚礼衣装に説明書を添付して構成した。
【００１２】
（２）  請求項２に記載の考案は、請求項１記載の和装婚礼衣装において、柄の解説あるいは文様の解説の一方又は双方を説明書に記載して構成した。
【００１３】
（３）  請求項３に記載の考案は、請求項１記載の和装婚礼衣装において、和装婚礼衣装の素材の解説を説明書に記載して構成した。
【００１４】
（４）  請求項４に記載の考案は、請求項１記載の和装婚礼衣装において、和装婚礼衣装の加工法の解説を説明書に記載して構成した。
【００１５】
（５）  請求項５に記載の考案は、請求項１乃至請求項４いずれかの和装婚礼衣装において、ｗｅｂアドレスがエンコードされた二次元コードを説明書に記載して構成した。
【考案の効果】
【００１６】
上記のように構成される本考案が、如何に作用して課題を解決するかを図面を参照しながら概説する。
【００１７】
図１に示されるように本考案は、和装婚礼衣装１０に当該和装婚礼衣装の説明書２０が添付されて、箱３０と当該箱３０を封する蓋３１より成る包装用容器等に、和装婚礼衣装１０と当該和装婚礼衣装１０に関する説明書２０が収容されるものである。
【００１８】
そして、説明書２０には和装婚礼衣装１０の柄や文様、素材や加工法の解説が記されていることから、和装婚礼衣装を購入あるいは借りた者は、容易に和装婚礼衣装に関する様々な情報知ることが可能となり、しいては和装婚礼衣装に関する理解が深まるとともに、関心を喚起することも可能となるのである。
【００１９】
また、説明書２０にｗｅｂアドレスがエンコードされた二次元コード、例えばＱＲコード（登録商標）を記載しておけば、借用者等はスマートフォンや携帯電話等の当該二次元コードを読み取り可能な携帯型情報端末で読み取り、エンコードされたウェブアドレス上のホームページ等を通じてより詳しい和装婚礼衣装に関する情報、例えばより詳細な記述や動画等の情報、工程方法、技法、商品コンセプト等を得ることが可能となるのである。
【図面の簡単な説明】
【００２０】
【図１】本考案の構成図
【図２】説明書を示す図
【考案を実施するための形態】
【００２１】
図２は本考案を構成する説明書を示すものである。当該説明書２０には和装婚礼衣装１０の写真２１等が印刷されており、写真２１には和装婚礼衣装１０の柄の名称が記載されている。写真２１には併せて当該柄の説明も記されている。具体的には鼓の柄であれば、当該柄が鼓であること、及び鼓とは楽器であり、又、鼓柄には魔よけの意味が有ることなどが記されている。
【００２２】
更には文章による説明部２２には、加工法や文様・柄の意味、素材の説明などが記されている。加工法としては、例えば型染めや友禅染めなど、説明書が添付される着物の加工法を具体的に記載するものである。
【００２３】
素材の説明としては、和装婚礼衣装の生地の説明が記載されるものである。
【００２４】
また、説明書２０にはｗｅｂアドレスがエンコードされた二次元コード２３が記載されている。図２においては二次元コード２３としてＱＲコード（登録商標）が印刷されているが、場合によってはバーコードなども利用できる。
【００２５】
本考案の利用者は、これら二次元コード２３のそれぞれに記録されたウェブアドレスを読み込むことで、サーバにアクセスし、サーバ上に存する当該和装婚礼衣装に関する情報が格納されたファイルを読み込むものである。利用者は、携帯電話やスマートフォン、タブレット型情報端末等であり、インターネットに接続可能な端末を利用できるものである。
【００２６】
図１に示すように本考案にかかる和装婚礼衣装１０は、説明書２０と共に包装用容器３０に収納するものである。図１においては包装用容器３０は蓋３１を有する箱体を利用している。
【符号の説明】
【００２７】
１０・・和装婚礼衣装
２０・・説明書
３０・・包装用容器
【図１】
0003214633.tif 000003
【図２】
0003214633.tif 000004
【手続補正書】
【提出日】平成29年11月26日(2017.11.26)
【手続補正１】
【補正対象書類名】実用新案登録請求の範囲
【補正対象項目名】全文
【補正方法】変更
【補正の内容】
【実用新案登録請求の範囲】
【請求項１】
包装用容器内に説明書及び和装婚礼衣装を収納した和装婚礼衣装セット。
【請求項２】
説明書に、和装婚礼衣装の柄の解説あるいは文様の解説の一方又は双方を記載した請求項１に記載の和装婚礼衣装セット。
【請求項３】
説明書に、和装婚礼衣装の素材の解説を記載した請求項１に記載の和装婚礼衣装セット。
【請求項４】
説明書に、和装婚礼衣装の加工法の解説を記載した請求項１に記載の和装婚礼衣装セット。
【請求項５】
説明書が、ｗｅｂアドレスがエンコードされた二次元コードを備えた請求項１乃至請求項４いずれかに記載の和装婚礼衣装セット。